(57)【特許請求の範囲】
【請求項１】
本体の外周部で開口された差込口と、前記差込口を画定する筒壁の上壁部から上向きに屈曲して延びる内壁部とを有する取手部を設け、
前記本体は、設定された処理を実行するための構成部品が取り付けられるベースと、前記取手部の前記差込口が開口され前記ベースの外周部を覆う外装パネルとを有し、
前記ベースに前記取手部を配置する凹部が形成されている、電気機器。
【請求項２】
前記取手部の前記内壁部の上端は前記凹部の壁に対向又は当接している、請求項１に記載の電気機器。
【請求項３】
吸込口から処理空気を取り込んで吹出口から吐出する処理空気ファンと、再生空気を循環させる再生空気ファンと、前記処理空気から水分を吸着して前記再生空気に水分を回収させる除湿ロータと、前記再生空気を加熱する加熱手段と、前記処理空気と前記再生空気とを熱交換して前記再生空気を冷却する熱交換器とを配置するとともに、外周部に凹部を形成したベースと、
前記ベースの外周部を覆う外装パネルと、
前記ベースの前記凹部内に配置され、前記外装パネルから開口される差込口と、前記差込口を画定する筒壁の上壁部から上向きに屈曲して延びる内壁部とを有し、前記内壁部の上端が前記凹部の壁に対向又は当接する取手部と
を備える、除湿機。
【発明の詳細な説明】
【技術分野】
【０００１】
本発明は、持ち運び用の取手部を有する電気機器に関する。この電気機器には、製品重量が重い除湿機等の他、製品重量が軽い調理器等が含まれる。
【背景技術】
【０００２】
特許文献１には、本体の外装パネルに別体の取手部材を配置した電気機器の１つである空気調和機が開示されている。外装パネルは、取手部材を露出させて配置する溝を備える。取手部材は、一端に外装パネルに位置する差込口を備える。
【０００３】
特許文献１の取手部材は、差し込んだ手の指を曲げた状態で持つことができないため、指掛かり性が悪く、電気機器の持ち上げが困難である。
【先行技術文献】
【特許文献】
【０００４】
【特許文献１】特開平７−２６０２００号公報
【発明の概要】
【発明が解決しようとする課題】
【０００５】
本発明は、持ち上げる作業性が良好な取手部を有する電気機器を提供することを課題とする。
【課題を解決するための手段】
【０００６】
第１の発明は、本体の外周部で開口された差込口と、前記差込口を画定する筒壁の上壁部から上向きに屈曲して延びる内壁部と、型抜き用の開口部とを有する取手部を設けた電気機器を提供する。
【０００７】
この電気機器は、取手部が型抜き用の開口部を備えるため、差込口の上壁部から上向きに延びる内壁部を大きく形成することができる。よって、差込口から差し込んだ手の指の第１関節を折り曲げ、指掛かり性が良好な取手部を形成することができる。そのため、電気機器をしっかりと持つことができるため、持ち上げる作業性を向上できる。
【０００８】
前記本体は、設定された処理を実行するための構成部品が取り付けられるベースを有し、前記取手部の開口部に前記ベースの壁が対向配置されている。このようにすれば、外部から本体の内部へ異物が侵入し難い構造とすることができる。
【０００９】
前記本体は、前記取手部の前記差込口が開口され前記ベースの外周部を覆う外装パネルを更に有し、前記ベースに前記取手部を配置する凹部が形成されている。詳しくは、前記取手部の前記内壁部の上端は前記凹部の壁に対向又は当接している。このようにすれば、比較的重い電気機器であっても、外装パネル及び取手部を破損させることなく、容易に持ち上げることができる。
【００１０】
前記取手部は、前記外装パネルと別体である。このようにすれば、外装パネル及び取手部の構成を簡素化できる。この場合、前記取手部は、前記筒壁の上部又は下部に嵌合部を有し、前記外装パネルは、前記嵌合部に嵌合する被嵌合部を有することが好ましい。詳しくは、前記取手部の前記嵌合部は、上向き又は下向きに突出するとともに前記筒壁の軸線に沿った方向の肉厚を両端に向けて次第に小さくした突部であり、前記外装パネルの被嵌合部は、前記突部の両端から嵌合する溝である。このようにすれば、別部品からなる取手部を簡単かつ確実に組み付けることができる。
【００１１】
前記取手部は、前記開口部を前記差込口の対向位置に設けた筒形状である。このようにすれば、取手部の構成を簡素化できる。
【００１２】
第２の発明は、吸込口から処理空気を取り込んで吹出口から吐出する処理空気ファンと、再生空気を循環させる再生空気ファンと、前記処理空気から水分を吸着して前記再生空気に水分を回収させる除湿ロータと、前記再生空気を加熱する加熱手段と、前記処理空気と前記再生空気とを熱交換して前記再生空気を冷却する熱交換器とを配置するとともに、外周部に凹部を形成したベースと、前記ベースの外周部を覆う外装パネルと、前記ベースの前記凹部内に配置され、前記外装パネルから開口される差込口と、前記差込口を画定する筒壁の上壁部から上向きに屈曲して延びる内壁部とを有し、前記内壁部の上端が前記凹部の壁に対向又は当接する取手部とを備える除湿機を提供する。
【００１３】
この除湿機は、比較的重い電気機器であるが、各部品を配置するベースの凹部の壁に取手部の内壁部の上端が対向又は当接するため、外装パネルを含む取手部を破損させることなく、容易に持ち上げることができる。
【発明の効果】
【００１４】
第１の発明の電気機器は、取手部に型抜き用の開口部を形成しているため、差込口の上壁部から上向きに延びる内壁部を大きくした指掛かり性が良好な取手部を形成できる。よって、電気機器をしっかりと持つことができるため、持ち上げる作業性を向上できる。第２の発明の除湿機は、比較的重い電気機器であるが、ベースの凹部の壁に取手部の内壁部の上端が対向又は当接するため、破損させることなく、容易に持ち上げることができる。
【図面の簡単な説明】
【００１５】
【図１】本発明の第１実施形態の除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６】取手部の構成を示す分解斜視図。
【図７】図６の一部拡大図。
【図８Ａ】取手部の構造を示す縦断面図。
【図８Ｂ】取手部の構造を示す横断面図。
【図９Ａ】取手部を上方から見た斜視図。
【図９Ｂ】取手部を下方から見た斜視図。
【図１０Ａ】取手部の平面図。
【図１０Ｂ】取手部の底面図。
【図１１】第２実施形態の取手部を下方から見た斜視図。
【図１２】第３実施形態の取手部の構成を示す分解斜視図。
【発明を実施するための形態】
【００１６】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１７】
（第１実施形態）
図１から図３Ｂは本発明の第１実施形態に係る電気機器の一例である除湿機１を示す。図４は除湿機１の概念的な断面図である。図５は除湿機１のシステム図である。
【００１８】
（全体構成）
図１及び図２を参照すると、除湿機１は、円柱形状の外観を有し、本体１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００１９】
ヘッド部６００は、図１において本体１００の軸線Ｌを中心として回転可能な送風部６４０を備える。送風部６４０は、図１に示す初期位置を起点として、規制部材６８０回りを略±１８０度の範囲で、図１において周方向Ａに往復（首振り）回転できる。送風部６４０の吹出口６４２には可動式のルーバー６６０が配置されている。ルーバー６６０は、図１において上下方向Ｂの設定範囲で揺動できる。
【００２０】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（第１送風手段）４００と、再生空気を循環させるための再生空気ファン（第２送風手段）４５０とを備える。
【００２１】
図１から図３Ｂに示すように、本体１００は、設定された処理を実行するための構成部品である除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００２２】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２３】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口との間に形成された空間からなる。第５部分２ｅは、処理空気ファン４００の吐出口１１２から吹出口６４２までを接続している。図４に示すように、第５部分２ｅは、処理空気ファン４００のファンケース４１０の送出部４１１、及びヘッド部６００の送風案内部６４１を備える。
【００２４】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ吐出される。
【００２５】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２６】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０と主熱交換器３００の上部ヘッダ３２０の間のダクト部材５００を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００２７】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸湿）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。なお、熱交換器３００，３５０で再生空気が冷却されることにより凝縮した水は、貯水タンク７２０に貯留される。
【００２８】
（本体の取手構造）
図６から図８Ｂに示すように、本体１００には、ベース１０１の外周部に内向きに窪む凹部１０４が形成され、凹部１０４に外装パネル１１０Ａ，１１０Ｂと別体の取手部材（取手部）１２０が配置されている。
【００２９】
図７及び図８Ａに示すように、ベース１０１の凹部１０４は、側面視が横長の長方形状である。凹部１０４は、本体１００の径方向に対向するように、立壁部１０３の側面中央に形成されている。凹部１０４は、取手部材１２０を挿入する開口部１０５を備える。開口部１０５は、左右一対の側壁部１０６，１０６、下壁部１０７及び上壁部１０８の外縁により画定されている。また、凹部１０４の開口部１０５と対向する位置である各壁部１０６〜１０８の内側端は、閉塞壁部１０９により覆われている。閉塞壁部１０９は、下壁部１０７側に外向きに傾斜した傾斜部１０９ａを備える。傾斜部１０９ａは、取手部材１２０が上下逆向きに配置されることを防止する機能を兼ね備える。
【００３０】
図１及び図７に示すように、外装パネル１１０Ａ，１１０Ｂは、取手部材１２０を露出させる横長の半長円形状の露出孔１１３Ａ，１１３Ｂを備える。図８Ａを参照すると、露出孔１１３Ａ，１１３Ｂの下縁１１４は、凹部１０４の下壁部１０７より若干低いが同程度の高さに設定されている。露出孔１１３Ａ，１１３Ｂの上縁１１５は、凹部１０４の上壁部１０８より低く、上壁部１０８との間に一般成人の手の指の第１関節が入る程度（例えば２０ｍｍ）の空間が形成されるように設定されている。
【００３１】
図７及び図８Ａに示すように、外装パネル１１０Ａ，１１０Ｂの内面側には、露出孔１１３Ａ，１１３Ｂの上下縁１１４，１１５に沿って延びるガイドレール部１１６Ａ，１１６Ｂが設けられている。ガイドレール部１１６Ａ，１１６Ｂは、取手部材１２０の後述する突部１３０に嵌合する嵌合溝（被嵌合部）１１７を備える。図８Ｂに示すように、外装パネル１１０Ａ，１１０Ｂの内面側には、露出孔１１３Ａ，１１３Ｂの側縁から内向きに突出する突板部１１８が設けられている。
【００３２】
図８Ａ，Ｂに示すように、取手部材１２０は、ベース１０１の外周部に外装パネル１１０Ａ，１１０Ｂをネジ止めして装着することにより、凹部１０４内に組み付けられる。取手部材１２０は、ユーザが手を差し込む差込口１２１と、ユーザが折り曲げた手の指を掛ける内壁部１２７と、型抜き用の開口部１２９とを備える。本実施形態の取手部材１２０は、差込口１２１と開口部１２９とを対向位置に設けた筒形状である。
【００３３】
図９Ａ，Ｂを併せて参照すると、差込口１２１は、外装パネル１１０Ａ，１１０Ｂの露出孔１１３Ａ，１１３Ｂの内縁に位置し、露出孔１１３Ａ，１１３Ｂから外部（本体１００の外周部）に開口されている。差込口１２１は、側面視四角形状の筒壁１２２により画定されている。図１０Ａ，Ｂを参照すると、筒壁１２２は、差込口１２１が画定される外端側が外装パネル１１０Ａ，１１０Ｂの曲率に沿った円弧状に形成されている。また、筒壁１２２の差込口１２１側端には、外向きに湾曲した湾曲部１２３が設けられている。
【００３４】
図８Ａ，Ｂに示すように、筒壁１２２の両側の側壁部１２４，１２４は、凹部１０４の側壁部１０６，１０６に沿って閉塞壁部１０９にかけて延びる。側壁部１２４，１２４は、差込口１２１と反対側の端縁に、閉塞壁部１０９の傾斜部１０９ａに沿って延びる傾斜縁１２４ａを備える。筒壁１２２の下壁部１２５は、凹部１０４の下壁部１０７に沿って閉塞壁部１０９にかけて延びる。筒壁１２２の上壁部１２６は、外装パネル１１０Ａ，１１０Ｂのガイドレール部１１６Ａ，１１６Ｂに沿って、凹部１０４の上壁部１０８と平行に延びる。上壁部１２６は、閉塞壁部１０９側の内端が、ガイドレール部１１６Ａ，１１６Ｂの内側に位置する。図８Ａに示す上壁部１２６の軸方向の寸法Ｓ１は、一般成人の手の指の第１関節と第２関節の間又は第２関節と第３関節の間の長さと同程度（例えば１０ｍｍ）に設定されている。
【００３５】
図８Ａ及び図９Ａ，Ｂに示すように、内壁部１２７は、上壁部１２６の内端から上向きに屈曲（傾斜）して延びている。内壁部１２７の上端は、凹部１０４の上壁部１０８の近傍に位置する。内壁部１２７の全高Ｈは、一般成人の手の指の第１関節から指先にかけた長さと同程度（例えば２０ｍｍ）に設定されている。内壁部１２７の上端には、上壁部１０８に沿って閉塞壁部１０９にかけて延びる頂壁部１２８が一体に設けられている。内壁部１２７の上端である頂壁部１２８は、凹部１０４の上壁部１０８と所定の隙間をあけて対向する。この隙間は、製造誤差を考慮した製造上必要なクリアランスである。即ち、頂壁部１２８と上壁部１０８とは、実質的に当接する寸法設定である。内壁部１２７及び頂壁部１２８の軸方向の寸法Ｓ２は、一般成人の指が十分に入る奥行き（例えば１５ｍｍ）に設定されている。
【００３６】
図８Ａ，Ｂ及び図９Ｂに示すように、開口部１２９は、一対の側壁部１２４，１２４、下壁部１２５、及び頂壁部１２８で画定されている。開口部１２９には、ベース１０１の閉塞壁部（壁）１０９が対向配置されている。図８Ａに最も明瞭に示すように、開口部１２９は、凹部１０４を画定する閉塞壁部１０９により、塵埃が侵入しないように覆われている。
【００３７】
図８Ａ及び図９Ａ，Ｂに示すように、取手部材１２０は、ガイドレール部１１６Ａ，１１６Ｂの嵌合溝１１７が嵌合される一対の突部（嵌合部）１３０，１３０を備える。詳しくは、筒壁１２２の下壁部１２５には、下向きに突出するように突部１３０が設けられ、筒壁１２２の上壁部１２６には、上向きに突出するように突部１３０が設けられている。図１０Ａ，Ｂに示すように、突部１３０は、差込口１２１を画定する筒壁１２２の軸線に沿った方向の肉厚Ｔを両端に向けて次第に小さくした筒形状である。即ち、突部１３０の両端には、肉厚Ｔを次第に小さくした差込部１３１が設けられている。
【００３８】
図８Ｂ及び図１０Ａ，Ｂに示すように、取手部材１２０は、突板部１１８が挿入される位置決め溝１３２が設けられている。位置決め溝１３２は、筒壁１２２の側壁部１２４に湾曲部１２３と所定間隔をあけて位置する内板部１３３を設けることにより、これらの間に形成されている。
【００３９】
この取手部材１２０は、差込口１２１の対向位置に型抜き用の開口部１２９を設けた筒形状であるため、上壁部１２６から屈曲して延びる内壁部１２７を大きく形成することができる。よって、差込口１２１から手を差し込み、指の第１関節を折り曲げて指の腹を内壁部１２７に当て、指先と手のひらの間に上壁部１２６を位置させるようにして、取手部材１２０をしっかりと持つことができる。しかも、取手部材１２０は、外装パネル１１０Ａ，１１０Ｂとは別部品からなるため、構成を簡素化できる。
【００４０】
この指掛かり性が良好な取手部材１２０をベース１０１に配置することにより、除湿機１を持ち上げる作業性を向上できる。また、除湿機１は、貯水タンク７２０が満水になった状態での重量が約１３ｋｇ程度であり、家庭用の電気機器の中では比較的重い。これに対して本実施形態では、ベース１０１の凹部１０４の上壁部１０８に取手部材１２０の内壁部１２７の上端である頂壁部１２８が対向又は当接するため、外装パネル１１０Ａ，１１０Ｂは勿論、取手部材１２０を破損させることなく、容易に持ち上げることができる。
【００４１】
また、取手部材１２０を本体１００に組み付ける際には、図６に示すように、取手部材１２０をベース１０１の凹部１０４に開口部１２９側から配置する。この際、凹部１０４の傾斜部１０９ａ及び取手部材１２０の傾斜縁１２４ａにより、凹部１０４に対する取手部材１２０の逆付けを防止できる。ついで、外装パネル１１０Ａ，１１０Ｂをベース１０１の両側から配置する。この際、取手部材１２０の突部１３０に外装パネル１１０Ａ，１１０Ｂの嵌合溝１１７を横方向から嵌合させる。この嵌合時には、突部１３０の両端に肉厚Ｔを小さくした差込部１３１が設けられているため、組立作業性を向上できる。
【００４２】
図８Ａ，Ｂに示すように、取手部材１２０を本体１００に装着した状態では、型抜き用の開口部１２９にベース１０１の閉塞壁部１０９が対向配置されているため、外部から本体１００の内部へ異物が侵入し難い構造とすることができる。しかも、本実施形態では、開口部１２９が凹部１０４の閉塞壁部１０９により覆われるため、外部から本体１００の内部に水や塵埃が侵入することを防止できる。
【００４３】
（第２実施形態）
図１１は第２実施形態の除湿機１に用いる取手部材１２０を示す。この第２実施形態では、型抜き用の開口部１２９を筒壁１２２の下側に設けた点で、第１実施形態と相違する。なお、第２実施形態の取手部材１２０は、差込口１２１と反対側に位置する一対の側壁部１２４，１２４及び頂壁部１２８の端部を閉塞壁１３４により覆っている。
【００４４】
この第２実施形態の取手部材１２０は、第１実施形態と同様に、内壁部１２７を大きく形成することができるため、しっかりと持つことができる。また、下側に設けた開口部１２９は、ベース１０１の凹部１０４に配置することで、凹部１０４の下壁部１０７が対向配置される。そのため、第１実施形態と同様の作用及び効果を得ることができる。
【００４５】
（第３実施形態）
図１２は第３実施形態の除湿機１を示す。この第３実施形態では、第１実施形態と同様の取手部材（取手部）１２０を一方の外装パネル１１０Ｂに一体に設けた点で、第１実施形態と相違する。このようにした第３実施形態では、第１実施形態と比較すると、構造が複雑になるため設計が煩雑になるが、部品点数を削減できるうえ、組立工数を削減できる。また、除湿機１を持ち上げる作業性等の他の作用及び効果については、同様に得ることができる。
【００４６】
なお、本発明は、前記実施形態の構成に限定されず、種々の変更が可能である。
【００４７】
例えば、前記実施形態では、外装パネル１１０Ａ，１１０Ｂに被嵌合部として嵌合溝１１７を設け、取手部材１２０に嵌合部として突部１３０を設けたが、外装パネル１１０Ａ，１１０Ｂに被嵌合部として突部を設け、取手部材１２０に嵌合部として嵌合溝を設けてもよい。また、嵌合部及び嵌合受部は、筒壁１２２及び露出孔１１３Ａ，１１３Ｂの上下に設けたが、上下いずれか一方だけに設けてもよい。
【００４８】
また、前記実施形態では、本発明の取手部材１２０を製品重量が比較的重い除湿機１に用いたが、本体１００の外周部に取手部を配置する電気機器であれば、製品重量が軽い調理器等であって適用可能であり、同様の作用及び効果を得ることができる。
【００４９】
また、前記実施形態では、空気を取り込んで処理を加えて吐出する除湿機１に取手部材１２０を配置したため、型抜き用の開口部１２９を凹部１０４の壁で覆う構成としたが、開口部１２９を覆わない構成としてもよい。また、型抜き用の開口部１２９は、第１実施形態では差込口１２１の対向位置（奥側）に設け、第２実施形態では下側に設けたが、その形成位置は希望に応じて変更が可能である。
【符号の説明】
【００５０】
１…除湿機（電気機器）
２…処理空気経路
２ａ〜２ｅ…処理空気経路の部分
３…再生空気経路
３ａ〜３ｅ…再生空気経路の部分
１００…本体
１０１…ベース
１０２…基部
１０３…立壁部
１０４…凹部
１０５…開口部
１０６…側壁部
１０７…下壁部
１０８…上壁部
１０９…閉塞壁部
１０９ａ…傾斜部
１１０Ａ，１１０Ｂ…外装パネル
１１１Ａ，１１１Ｂ…補強パネル
１１２…吸込口
１１３Ａ，１１３Ｂ…露出孔
１１４…下縁
１１５…上縁
１１６Ａ，１１６Ｂ…ガイドレール部
１１７…嵌合溝（被嵌合部）
１１８…突板部
１２０…取手部材（取手部）
１２１…差込口
１２２…筒壁
１２３…湾曲部
１２４…側壁部
１２４ａ…傾斜縁
１２５…下壁部
１２６…上壁部
１２７…内壁部
１２８…頂壁部（内壁部の上端）
１２９…開口部
１３０…突部（嵌合部）
１３１…差込部
１３２…位置決め溝
１３３…内板部
１３４…閉塞壁
２００…除湿ロータ
２５０…ヒータ（加熱手段）
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン
４１０…ファンケース
４１１…送出部
４５０…再生空気ファン
４６０…ファンケース
４６１…第１ダクト部
４６２…第２ダクト部
５００…ダクト部材
６００…ヘッド部
６４０…送風部
６４１…送風案内部
６４２…吹出口
６６０…ルーバー
６８０…規制部材
７００…貯水部
７２０…貯水タンク
【図１】
0006275625.tif 000002
【図２】
0006275625.tif 000003
【図３Ａ】
0006275625.tif 000004
【図３Ｂ】
0006275625.tif 000005
【図４】
0006275625.tif 000006
【図５】
0006275625.tif 000007
【図６】
0006275625.tif 000008
【図７】
0006275625.tif 000009
【図８Ａ】
0006275625.tif 000010
【図８Ｂ】
0006275625.tif 000011
【図９Ａ】
0006275625.tif 000012
【図９Ｂ】
0006275625.tif 000013
【図１０Ａ】
0006275625.tif 000014
【図１０Ｂ】
0006275625.tif 000015
【図１１】
0006275625.tif 000016
【図１２】
0006275625.tif 000017